(57)【要約】【課題】位置情報が付加された写真を有効に活用する。【解決手段】情報提供装置は、所定の複数の地点の位置を示す位置情報、および、それぞれの地点の順番を示す順番情報が設定されたコース情報を旅行コースＤＢから取得し、それぞれの地点を含む所定の領域内で撮影された写真を写真ＤＢから取得する。また、情報提供装置は、コース情報に設定された位置情報に基づいて、複数の地点を示すマークが表示された地図を作成する。そして、情報提供装置は、コース情報に設定された順番情報に従って、複数の地点を順次表示対象とし、表示対象とされた地点で撮影された写真と、その地点を示すマークを含む所定範囲の地図を表示する。本技術は、例えば、スマートフォンに適用できる。【選択図】図２
2012226646.tif 000002
【特許請求の範囲】
【請求項１】
所定の複数の地点の位置を示す位置情報、および、それぞれの地点の順番を示す順番情報が設定されたコース情報を取得するコース情報取得部と、
前記地点を含む所定の領域内で撮影された写真を取得する写真取得部と、
前記コース情報に設定された前記位置情報に基づいて、複数の前記地点を示すマークが表示された地図を作成する地図作成部と、
前記コース情報に設定された前記順番情報に従って、複数の前記地点を順次表示対象とし、表示対象とされた前記地点で撮影された前記写真と、その地点を示すマークを含む所定範囲の地図とを表示部に表示させる表示制御部と
を備える情報提供装置。
【請求項２】
前記コース情報取得部は、複数の前記コース情報が登録されたデータベースを管理するサーバと通信を行い、前記データベースに登録されている複数の前記コース情報をユーザに提示して、ユーザにより選択された前記コース情報を前記サーバから取得する
請求項１に記載の情報提供装置。
【請求項３】
前記写真取得部は、撮影位置の位置情報が付加された複数の前記写真が登録されたデータベースを管理するサーバと通信を行い、前記コース情報取得部が取得した前記コース情報に設定された前記位置情報に基づいて、前記地点を含む所定の領域内で撮影された写真を取得する
請求項１に記載の情報提供装置。
【請求項４】
前記表示制御部により表示対象とされた前記地点に関連する音楽を出力する出力部
をさらに備える請求項１に記載の情報提供装置。
【請求項５】
前記コース情報には、前記地点が属する地域を示す地域情報が設定されており、
複数の音楽が登録されたデータベースを管理するサーバと通信を行い、前記コース情報に設定された前記地域情報に対応付けられている複数の音楽を取得する音楽取得部
をさらに備え、
前記出力部は、前記音楽取得部が取得した音楽の中から、前記表示制御部により表示対象とされた前記地点に関連する音楽を出力する
請求項４に記載の情報提供装置。
【請求項６】
前記コース情報取得部は、撮影位置の位置情報が付加された複数の前記写真が任意の分類ごとに登録されたデータベースを管理するサーバと通信を行い、前記データベースに登録されている前記写真の分類をユーザに提示して、ユーザにより選択された前記分類に含まれる複数の前記写真に付加された前記位置情報と、それぞれの写真が撮影された撮影時刻の順番とに基づいて、前記コース情報を作成する
請求項１に記載の情報提供装置。
【請求項７】
前記コース情報取得部は、前記地点を指定させるための地図を前記表示部に表示させ、ユーザにより指定された複数の前記地点の位置情報と、それぞれの地点がユーザにより指定された順番とに基づいて、前記コース情報を作成する
請求項１に記載の情報提供装置。
【請求項８】
複数の前記地点をユーザに指定させて前記コース情報取得部が作成した前記コース情報を送信する通信部
をさらに備え、
前記通信部が、複数の前記コース情報が登録されるデータベースを管理するサーバに、前記コース情報を送信することで、前記コース情報が他の情報提供装置との間で共有される
請求項７に記載の情報提供装置。
【請求項９】
前記表示制御部は、表示対象とされた前記地点に関連する情報を、前記写真と共に前記表示部に表示する
請求項１に記載の情報提供装置。
【請求項１０】
所定の複数の地点の位置を示す位置情報、および、それぞれの地点の順番を示す順番情報が設定されたコース情報を取得し、
前記地点を含む所定の領域内で撮影された写真を取得し、
前記コース情報に設定された前記位置情報に基づいて、複数の前記地点を示すマークが表示された地図を作成し、
前記コース情報に設定された前記順番情報に従って、複数の前記地点を順次表示対象とし、表示対象とされた前記地点で撮影された前記写真と、その地点を示すマークを含む所定範囲の地図を表示部に表示させる
ステップを含む情報提供方法。
【請求項１１】
所定の複数の地点の位置を示す位置情報、および、それぞれの地点の順番を示す順番情報が設定されたコース情報を取得し、
前記地点を含む所定の領域内で撮影された写真を取得し、
前記コース情報に設定された前記位置情報に基づいて、複数の前記地点を示すマークが表示された地図を作成し、
前記コース情報に設定された前記順番情報に従って、複数の前記地点を順次表示対象とし、表示対象とされた前記地点で撮影された前記写真と、その地点を示すマークを含む所定範囲の地図を表示部に表示させる
ステップを含む情報提供処理をコンピュータに実行させるプログラム。
【発明の詳細な説明】
【技術分野】
【０００１】
本開示は、情報提供装置および情報提供方法、並びにプログラムに関し、特に、位置情報が付加された写真を有効に活用することができるようにした情報提供装置および情報提供方法、並びにプログラムに関する。
【背景技術】
【０００２】
従来、ＧＰＳ（Global Positioning System）機能を備えたデジタルスチルカメラは、写真を撮影するとともに、撮影を行った場所の位置情報をＧＰＳ機能により取得し、写真に位置情報を付加して記録することができる。
【０００３】
例えば、特許文献１には、動画を撮影しながら、撮影時の位置／方位情報を取得し、さらに、地図データ提供サーバから提供された地図画像データとともに記録する撮像装置が開示されている。
【０００４】
このように、位置情報が付加された写真を記録することで、例えば、写真を表示装置に表示するとともに、撮影位置を示すマークが表示された地図を表示装置に表示する処理を容易に行うことができる。
【先行技術文献】
【特許文献】
【０００５】
【特許文献１】特開２００８−２７７９５９号公報
【発明の概要】
【発明が解決しようとする課題】
【０００６】
ところで、写真および撮影位置をユーザに単に提示するだけでなく、位置情報が付加された写真を有効に活用して、より価値の高い情報をユーザに提供することが求められている。
【０００７】
本開示は、このような状況に鑑みてなされたものであり、位置情報が付加された写真を有効に活用することができるようにするものである。
【課題を解決するための手段】
【０００８】
本技術の一側面の情報提供装置は、所定の複数の地点の位置を示す位置情報、および、それぞれの地点の順番を示す順番情報が設定されたコース情報を取得するコース情報取得部と、前記地点を含む所定の領域内で撮影された写真を取得する写真取得部と、前記コース情報に設定された前記位置情報に基づいて、複数の前記地点を示すマークが表示された地図を作成する地図作成部と、前記コース情報に設定された前記順番情報に従って、複数の前記地点を順次表示対象とし、表示対象とされた前記地点で撮影された前記写真と、その地点を示すマークを含む所定範囲の地図とを表示部に表示させる表示制御部とを備える。
【０００９】
本技術の一側面の情報提供方法またはプログラムは、所定の複数の地点の位置を示す位置情報、および、それぞれの地点の順番を示す順番情報が設定されたコース情報を取得し、前記地点を含む所定の領域内で撮影された写真を取得し、前記コース情報に設定された前記位置情報に基づいて、複数の前記地点を示すマークが表示された地図を作成し、前記コース情報に設定された前記順番情報に従って、複数の前記地点を順次表示対象とし、表示対象とされた前記地点で撮影された前記写真と、その地点を示すマークを含む所定範囲の地図を表示部に表示させるステップを含む。
【００１０】
本技術の一側面においては、所定の複数の地点の位置を示す位置情報、および、それぞれの地点の順番を示す順番情報が設定されたコース情報が取得され、それぞれの地点を含む所定の領域内で撮影された写真が取得され、コース情報に設定された位置情報に基づいて、複数の地点を示すマークが表示された地図が作成される。そして、コース情報に設定された順番情報に従って、複数の地点が順次表示対象とされ、表示対象とされた地点で撮影された写真と、その地点を示すマークを含む所定範囲の地図が表示部に表示される。
【発明の効果】
【００１１】
本技術の一側面によれば、位置情報が付加された写真を有効に活用することができる。
【図面の簡単な説明】
【００１２】
【図１】本技術を適用した情報提供装置の一実施の形態の構成例を示すブロック図である。
【図２】複数のスポットが設定された旅行コースに基づいたスライドショーで行われる処理を説明する図である。
【図３】スライドショー画面の表示例を示す図である。
【図４】旅行コースを選択する画面の表示例を示す図である。
【図５】アルバムを選択する画面の表示例を示す図である。
【図６】複数のスポットが設定された旅行コースに基づいてスライドショーを行う処理を説明するフローチャートである。
【図７】旅行コース作成処理を説明するフローチャートである。
【図８】スライドショー処理を説明するフローチャートである。
【発明を実施するための形態】
【００１３】
以下、本技術を適用した具体的な実施の形態について、図面を参照しながら詳細に説明する。
【００１４】
図１は、本技術を適用した情報提供装置の一実施の形態の構成例を示すブロック図である。
【００１５】
図１に示されている情報提供装置１１は、いわゆるスマートフォンであり、ネットワーク１２を介して、各種の情報を提供するサーバ１３と通信を行い、ユーザの操作に応じて情報を提供する。
【００１６】
情報提供装置１１は、タッチパネル２１、通信部２２、位置情報取得部２３、撮影部２４、記憶部２５、出力部２６、および制御部２７を備えて構成される。
【００１７】
タッチパネル２１は、例えば、液晶パネルや有機ＥＬ（Electro Luminescence）パネルなどを有する表示部２８と、抵抗膜方式や、静電容量方式、赤外線方式などによる検出機能を有する検出部２９とを備えて構成される。
【００１８】
表示部２８は、制御部２７の制御に従って、サーバ１３から提供される写真や、ユーザの操作に利用されるＧＵＩ（Graphical User Interface）などを表示する。検出部２９は、表示部２８の表面に対してユーザがタッチ（接触）した位置を検出し、そのタッチ位置を特定して、タッチ位置を示す座標情報を制御部２７に供給する。
【００１９】
通信部２２は、携帯電話機において使用される無線通信の規格に従ってデータ通信を行い、インターネットなどのネットワーク１２を介して、サーバ１３に対して情報の送信を要求する。サーバ１３は、写真や、音楽、地図などの各種の情報がデータ化されて登録されたＤＢ（Data Base：データベース）を管理しており、通信部２２から要求された情報をＤＢから検索して送信する。そして、通信部２２は、サーバ１３から送信されてくる情報を受信して、制御部２７に供給する。
【００２０】
位置情報取得部２３は、例えば、ＧＰＳや無線ＬＡＮ（Local Area Network）などを利用して、情報提供装置１１の現在位置を特定する情報を取得する。例えば、位置情報取得部２３は、少なくとも別々の箇所に設置された３つの基地局から発信される無線ＬＡＮの電波を利用して、それらの基地局の位置情報に基づいた３辺測量の手法により、情報提供装置１１の現在位置を特定する。
【００２１】
撮影部２４は、CCD（Charge Coupled Device）やCMOS(Complementary Metal Oxide Semiconductor)センサなどを有して構成され、ユーザのシャッター操作に従って、写真を撮影する。そして、撮影部２４が写真を撮影すると、制御部２７は、その撮影を行った位置情報を位置情報取得部２３から取得し、撮影された写真に位置情報を付加して記憶部２５に記憶させる。また、情報提供装置１１では、通信部２２が、位置情報が付加された写真を、ネットワーク１２を介してサーバ１３に送信して、サーバ１３のＤＢ（例えば、図２の写真ＤＢ）に登録させることができる。
【００２２】
記憶部２５は、電源を切っても内容が保存される不揮発性の半導体メモリ、例えば、フラッシュメモリ（例えば、EEPROM（Electronically Erasable and Programmable Read Only Memory））などを有している。記憶部２５は、例えば、制御部２７が実行するプログラム（アプリケーションソフト）を記憶する他、データ化された写真や、音楽、地図などを記憶する。
【００２３】
出力部２６は、例えば、スピーカや音楽再生部などを有しており、制御部２７の制御に従って、記憶部２５に記憶されている音楽を再生して出力する。
【００２４】
制御部２７は、CPU（Central Processing Unit）や、ROM（Read Only Memory）、RAM（Random Access Memory）などを備えて構成され、ROMまたは記憶部２５に記憶されているプログラムをRAMにロードして実行することで、情報提供装置１１の各部を制御する。なお、CPUが実行するプログラムは、あらかじめROMまたは記憶部２５に記憶されているものの他、適宜、記憶部２５にダウンロードして更新することができる。
【００２５】
例えば、制御部２７は、所定の地点、例えば、観光名所や、商業施設、公共施設などがある地点（以下、適宜、スポットと称する）が複数設定された旅行コースのコース情報を取得する。そして、制御部２７は、旅行コースに設定されているスポットの順番に従って写真を表示部２８に表示するとともに、スポットに適した音楽を再生して出力部２６から出力させるスライドショーを行うプログラムを実行する。
【００２６】
図２を参照して、複数のスポットが設定された旅行コースに基づいたスライドショーで行われる処理について説明する。
【００２７】
図２に示すように、情報提供装置１１は、旅行コースＤＢが管理されているサーバ１３Ａ、写真ＤＢが管理されているサーバ１３Ｂ、および音楽ＤＢが管理されているサーバ１３Ｃと通信を行う。
【００２８】
例えば、ユーザが情報提供装置１１を操作して旅行コースを選択すると、情報提供装置１１では、図１の通信部２２が、サーバ１３Ａと通信を行って、ユーザにより選択された旅行コースのコース情報を取得し、記憶部２５に記憶させる。サーバ１３Ａの旅行コースＤＢには、複数の旅行コースのコース情報がデータ化されて登録されている。コース情報には、旅行コースの複数のスポットそれぞれに設定された、スポットの位置を示す位置情報（緯度および経度）、スポットが属する地域（例えば、国名や地方名など）を示す地域情報、スポットを巡る順番を示す順番情報が含まれている。
【００２９】
その後、情報提供装置１１では、制御部２７が、通信部２２を介して、サーバ１３Ｂに対して、各スポットの位置情報を送信するとともに、それらのスポットごとに、スポットの近隣で撮影された所定枚数（例えば、１６枚）の写真を提供するように要求する。
【００３０】
サーバ１３Ｂの写真ＤＢには、撮影位置の位置情報が付加された写真がデータ化されて登録されている。サーバ１３Ｂは、情報提供装置１１から送信された各スポットの位置情報に基づいて、それぞれのスポットの近隣（スポットの位置を含む所定の領域内、例えば、直径100ｍ以内の領域など）の位置情報が付加された写真を写真ＤＢから検索する。
【００３１】
ここで、サーバ１３Ｂは、情報提供装置１１から要求された所定枚数以上の写真が写真ＤＢに登録されている場合、それらの写真の中から、情報提供装置１１での表示に適した写真を所定枚数だけ選択する。例えば、情報提供装置１１で実行されるスライドショーは、旅行先の雰囲気などを事前に認識するためのものであり、サーバ１３Ｂは、それぞれのスポットの全体的な風景や、スポットの景観を特徴づける目印などが写されている写真を選択する。また、例えば、サーバ１３Ｂは、情報提供装置１１の表示部２８のサイズを認識し、表示部２８のサイズに適合する大きさの写真を選択する。
【００３２】
そして、サーバ１３Ｂは、送信の要求された複数のスポットごとに、それぞれのスポットの近隣で撮影された所定枚数の写真を情報提供装置１１に送信する。これにより、情報提供装置１１では、制御部２７が、通信部２２により受信された複数の写真を取得して、記憶部２５に記憶させる。
【００３３】
また、制御部２７は、通信部２２を介して、サーバ１３Ｃに対して、各スポットの地域情報を送信するとともに、それらのスポットの地域に関連した音楽を検索するように要求する。例えば、それぞれのスポットが複数の国に属しているとき、制御部２７は、それらの国別に音楽を提供するようにサーバ１３Ｃに要求する。なお、例えば、複数のスポットが同一の地域にある場合には、制御部２７は、それらのスポットについて１つの地域情報を送信させる。
【００３４】
サーバ１３Ｃの音楽ＢＤには、地位情報に対応付けられた音楽（例えば、国名に対応づけられた国歌）がデータ化されて登録されている。サーバ１３Ｃは、情報提供装置１１から送信された各スポットの地域情報に基づいて、それぞれのスポットの地域に関連した音楽を音楽ＢＤから検索し、検索結果として得られた複数の音楽を情報提供装置１１に送信する。ここで、例えば、旅行コースに設定されているスポットが属する地域が１つだけであるとき、サーバ１３Ｃは、その地域に関連した所定数（例えば、３つ）の音楽を送信する。
【００３５】
そして、情報提供装置１１では、制御部２７が、通信部２２により受信された複数の音楽を取得して、記憶部２５に記憶させる。
【００３６】
このように、情報提供装置１１では、旅行コースに設定されているスポットごとに、スポットの近隣の所定枚数の写真を取得するとともに、それぞれのスポットの地域に関連した複数の音楽を取得する。そして、制御部２７は、旅行コースのコース情報に含まれる順番情報に従って、各スポットの写真を表示部２８に順番に表示させるとともに、スポットに適した音楽を出力部２６から出力させる。
【００３７】
また、情報提供装置１１は、サーバ１３Ａの旅行コースＤＢに登録されている複数の旅行コースの名称の一覧表を表示する画面（図４の画面５１）を表示部２８に表示して、スライドショーを行う旅行コースをユーザに選択させる。この他、情報提供装置１１は、サーバ１３Ｂの写真ＢＤに登録されている写真を使用して、ユーザに旅行コースを選択させることができる。
【００３８】
サーバ１３Ｂの写真ＢＤには、任意の分類ごとに写真を登録することができ、例えば、ユーザが旅行に行った際に、その旅先で撮影した複数枚の写真を１つの分類として写真ＢＤに登録することができる。以下、適宜、このように分類された写真の一纏まりをアルバムと称する。サーバ１３Ｂは、写真ＢＤに登録されている複数のアルバムの名称を情報提供装置１１に送信する。そして、情報提供装置１１は、それらのアルバムの名称の一覧表を表示する画面（図５の画面６１）を表示部２８に表示して、ユーザにより選択されたアルバムを使用してスライドショーを行う旅行コースを作成する。
【００３９】
さらに、情報提供装置１１では、ユーザにより指定されたスポットに基づいて旅行コースを作成し、その作成した旅行コースによるスライドショーを行うことができる。
【００４０】
例えば、情報提供装置１１は、地図がデータ化されて登録された地図データベースを管理するサーバ（図示せず）から、ユーザの操作に応じた箇所の地図を取得し、表示部２８に表示する。ユーザは、表示部２８の表面をタッチして、表示部２８に表示されている地図上の任意の地点をスポットとして指定する操作を行い、制御部２７は、検出部２９により検出されるタッチ位置に基づいてスポットを特定する。
【００４１】
例えば、図２において、情報提供装置１１には、旅行コースを作成する際にスポットを指定するための地図が表示された画面３１が表示されている。ユーザが、画面３１に表示された地図上の任意の地点に対して一定時間以上のタッチを行うと、制御部２７は、その地点をスポットとして特定し、画面３１には、スポットを示すマーク３２が表示される。
【００４２】
そして、ユーザが複数のスポットを指定して、旅行コースの作成を指示する操作を行うと、制御部２７は、ユーザにより指定されたスポットの位置情報と、ユーザがスポットを指定した順番に応じた順番情報とを含むコース情報を作成する。また、制御部２７は、各スポットの位置情報に基づき、地図データベースに登録されている地図に関する情報を参照することで、それぞれのスポットの地域情報を取得する。
【００４３】
このようにして作成された旅行コースのコース情報に従って、情報提供装置１１は、サーバ１３Ｂおよび１３Ｃから写真および音楽をそれぞれ取得し、スライドショーを行うことができる。
【００４４】
さらに、情報提供装置１１は、ユーザが作成した旅行コースのコース情報を、サーバ１３Ａにアップロードすること、つまり、通信部２２によりサーバ１３Ａに送信し、サーバ１３Ａの旅行コースＤＢに登録させることができる。これにより、ユーザが作成した旅行コースが、サーバ１３Ａを介して他のユーザ（他の情報提供装置を有するユーザ）と共有される。
【００４５】
例えば、サーバ１３Ａの旅行コースＤＢには、情報提供装置１１のユーザが作成した旅行コースの他、ユーザの友人や家族などが作成した旅行コース、および不特定の多数のユーザが作成した旅行コースが登録されている。そして、それらの旅行コースは、複数のスポットが設定された旅行コースに基づいてスライドショーを行うアプリケーションソフトを実行する情報提供装置１１のユーザどうしで共有することができる。なお、同様に、サーバ１３Ｂの写真ＤＢに登録されているアルバムも、情報提供装置１１のユーザどうしで共有することができる。
【００４６】
このように、情報提供装置１１では、ユーザが選択した旅行コース、ユーザが選択したアルバムに基づく旅行コース、または、ユーザが作成した旅行コースのいずれかに従ってスライドショーが実行される。
【００４７】
次に、図３は、スライドショー画面の表示例を示す図である。
【００４８】
スライドショー画面４１では、その全面が写真表示部４２とされ、写真表示部４２に表示される写真に重ね合わせて、地図表示部４３、タイトル表示部４４、テキスト情報表示部４５、およびＧＵＩ表示部４６が表示される。なお、タイトル表示部４４、テキスト情報表示部４５、およびＧＵＩ表示部４６は、写真表示部４２に表示される写真を認識することができる程度に半透明で表示される。
【００４９】
写真表示部４２には、ユーザにより選択された旅行コースのコース情報に含まれる順番情報に従った順番でスポットが表示対象とされて、それぞれのスポットの近隣の写真が順次表示される。
【００５０】
地図表示部４３には、写真表示部４２に写真が表示されている表示対象のスポットを中心とした所定範囲（例えば、１ｋｍ四方など、任意に設定可能な範囲）の地図が表示される。また、地図表示部４３には、旅行コースに設定されている各スポットを示すマークと、旅行コースに従った順番でスポットを結ぶラインが表示される。図３の表示例では、マーク４３ａおよび４３ｂが表示されており、マーク４３ａは、現在の表示対象のスポットを示しており、マーク４３ｂは、次に表示対象となるスポットを示している。
【００５１】
例えば、スライドショーが進むのに従い、マーク４３ａで示されるスポットの近隣の全ての写真が写真表示部４２に表示されると、マーク４３ｂで示されるスポットの近隣の写真の表示が開始され、地図表示部４３は、マーク４３ｂを中心とした地図に更新される。また、地図表示部４３の下方には、現在の表示対象となっているスポットの地名が表示され、図３の表示例では、地名「アムール川地方」と表示されている。
【００５２】
タイトル表示部４４には、写真表示部４２に表示される写真のタイトルと、その写真が撮影された日付が表示される。図３の表示例では、タイトル表示部４４の右端部分にタイトル「冬の道路」が表示され、タイトル表示部４４の左端部分に日付「2008年2月6日」が表示されている。
【００５３】
テキスト情報表示部４５には、文章で表示可能な各種の情報が表示される。例えば、テキスト情報表示部４５には、ユーザにより選択された旅行コースの名称が表示され、図３の表示例では、旅行コースの名称「シベリア鉄道ツアー」が表示されている。また、テキスト情報表示部４５には、写真表示部４２に表示中の写真のスポットに関連する情報が表示され、図３の表示例では、スポットに関する情報「ビロビジャンは、ロシア極東にあるユダヤ自治州の州都です。」が表示されている。なお、スポットに関する情報は、例えば、情報提供装置１１がインターネット上で公開されている情報を自動的に検索することで表示される。
【００５４】
また、テキスト情報表示部４５には、表示対象となっているスポットの順番を示す情報が表示される。図３の表示例では、旅行コースに設定されている１８のスポットのうちの４番目に順番が設定されているスポットが表示対象となっていることを示す情報「4/18」が示されている。なお、テキスト情報表示部４５に表示される情報は、図示されているものに限られない。例えば、テキスト情報表示部４５には、旅行コースについての説明文（サブタイトル）や、表示対象のスポットについての所定枚数の写真のうちの写真表示部４２に表示されている写真の順番を示す情報などを表示することができる。
【００５５】
ＧＵＩ表示部４６には、スライドショーの進行に関する複数のＧＵＩ部品が表示され、図３の表示例では、プログレスバー４６ａ、スキップ戻りボタン４６ｂ、戻りボタン４６ｃ、送りボタン４６ｄ、およびスキップ送りボタン４６ｅが表示されている。
【００５６】
プログレスバー４６ａは、表示対象としたスポットの進行状況をグラフィカルに表示し、左端がスタートを示し、右端がゴールを示している。スキップ戻りボタン４６ｂは、表示対象となっているスポットの１つ前の順番のスポットを表示対象とするときに操作され、戻りボタン４６ｃは、写真表示部４２に表示中の写真の１つ前に表示されていた写真を表示させるときに操作される。送りボタン４６ｄは、写真表示部４２に表示中の写真の次に表示される写真を表示させるときに操作され、スキップ送りボタン４６ｅは、表示対象となっているスポットの次の順番のスポットを表示対象とするときに操作される。
【００５７】
このようなスライドショー画面４１が、情報提供装置１１の表示部２８に表示されることで、例えば、ユーザは、旅行に行く前に旅行先の風景などを写真で見ることができるとともに、その風景が撮影された場所を確認し、その場所に関する情報を知ることができる。また、ユーザの旅行日程に従った順番でスライドショーを行うことで、ユーザは、よりリアルに旅行日程を把握することができる。
【００５８】
次に、図４は、旅行コースを選択する画面の表示例を示す図である。
【００５９】
図４に示すように、画面５１には、タイトル表示部５２、リスト表示部５３、およびキャンセルボタン５４が表示される。
【００６０】
タイトル表示部５２には、旅行コースを選択する画面であることを示すタイトル「旅行コース選択」が表示される。
【００６１】
リスト表示部５３には、情報提供装置１１がサーバ１３Ａ（図２）から取得した複数の旅行コースの名称の一覧表が表示（提示）される。図４の表示例では、リスト表示部５３には、３つの旅行コースの名称「日本の島巡りツアー」、「チベットツアー」、および「シベリア鉄道ツアー」が表示されている。さらに、多数の旅行コースがサーバ１３Ａの旅行コースＤＢに登録されている場合、ユーザがタッチパネル２１の表面をタッチしたまま指を上下に動かすと、リスト表示部５３の表示がスクロールされて、他の旅行コースの名称が表示される。
【００６２】
キャンセルボタン５４は、ユーザが旅行コースの選択を取り消すときに操作される。
【００６３】
このような画面５１が、情報提供装置１１の表示部２８に表示され、ユーザが、リスト表示部５３の表示の中から任意の旅行コースの名称をタッチすると、その旅行コースが選択される。
【００６４】
また、上述したように、情報提供装置１１は、サーバ１３Ｂの写真ＢＤに登録されているアルバムの中から、スライドショーに使用するアルバムをユーザに選択させ、そのアルバムに含まれる写真に基づいた旅行コースのスライドショーを実行することができる。
【００６５】
次に、図５は、アルバムを選択する画面の表示例を示す図である。
【００６６】
図５に示すように、画面６１には、タイトル表示部６２、およびリスト表示部６３が表示される。
【００６７】
タイトル表示部６２には、リスト表示部６３に表示されるアルバムが属するフォルダの名称が表示され、そのフォルダの中からアルバムを選択する画面であることを示している。図５の表示例では、タイトル表示部６２には、サーバ１３Ｂの写真ＤＢにユーザ自身が登録したアルバムが属するフォルダであることを示すフォルダの名称「マイアルバム」が表示されている。
【００６８】
リスト表示部６３には、情報提供装置１１がサーバ１３Ｂ（図２）から取得した複数のアルバムの名称の一覧表が表示（提示）される。図５の表示例では、リスト表示部６３には、３つのアルバムの名称「日本の旅行」、「驚きの写真」、および「フォトフレーズ」が表示されている。また、アルバムの名称と共に、アルバムに含まれる写真のサムネイル、アルバムが作成された日付、および、アルバムに含まれている写真の枚数がそれぞれ表示される。さらに、多数のアルバムがサーバ１３Ｂの写真ＤＢに登録されている場合、ユーザがタッチパネル２１の表面をタッチしたまま指を上下に動かすと、リスト表示部６３の表示がスクロールされて、他のアルバムの名称が表示される。
【００６９】
このような画面６１が、情報提供装置１１の表示部２８に表示され、ユーザが、リスト表示部６３の表示の中から任意のアルバムの名称をタッチすると、そのアルバムが選択される。
【００７０】
次に、図６は、図１の情報提供装置１１が、複数のスポットが設定された旅行コースに基づいてスライドショーを行う処理を説明するフローチャートである。例えば、ユーザが情報提供装置１１を操作して、スライドショーを行うプログラムの実行を指示すると処理が開始される。
【００７１】
ステップＳ１１において、制御部２７は、スライドショーを行う旅行コースを取得する方法を選択するための選択画面をタッチパネル２１の表示部２８に表示させ、処理はステップＳ１２に進む。選択画面には、旅行コースの選択、アルバムの選択、または旅行コースの作成のいずれかをユーザに選択させるＧＵＩボタンが表示される。
【００７２】
ステップＳ１２において、制御部２７は、タッチパネル２１の検出部２９により検出されるユーザのタッチ位置に基づいて、旅行コースの選択、アルバムの選択、または旅行コースの作成のうちのいずれをユーザが選択したのかを判定する。
【００７３】
ステップＳ１２において、制御部２７が、旅行コースの選択をユーザが選択したと判定した場合、処理はステップＳ１３に進む。
【００７４】
ステップＳ１３において、制御部２７は、通信部２２に対して、図２のサーバ１３Ａとの通信を行い旅行コースＤＢに登録されている旅行コースの名称を取得するように制御する。通信部２２は、制御部２７の制御に応じて、ネットワーク１２を介してサーバ１３Ａと通信を行い、旅行コースＤＢに登録されている旅行コースの名称を取得し、制御部２７に供給する。
【００７５】
ステップＳ１３の処理後、処理はステップＳ１４に進み、制御部２７は、ステップＳ１３で取得した旅行コースの中からスライドショーを行う旅行コースをユーザに選択させる画面５１（図４）をタッチパネル２１の表示部２８に表示させる。そして、ユーザが、画面５１のリスト表示部５３に表示されている旅行コースの名称を所定時間より長くタッチすると、そのタッチ位置が検出部２９により検出され、制御部２７は、ユーザにより選択された旅行コースを特定し、処理はステップＳ１５に進む。
【００７６】
ステップＳ１５において、制御部２７は、通信部２２に対して、ステップＳ１４でユーザにより選択された旅行コースのコース情報を取得するように制御する。通信部２２は、制御部２７の制御に応じて、ネットワーク１２を介してサーバ１３Ａと通信を行い、ユーザにより選択された旅行コースのコース情報を旅行コースＤＢから取得し、制御部２７に供給し、処理はステップＳ１６に進む。
【００７７】
ステップＳ１６において、制御部２７は、通信部２２に対して、ステップＳ１５で取得したコース情報に含まれている各スポットの近隣の写真を取得するように制御する。通信部２２は、制御部２７の制御に応じて、ネットワーク１２を介してサーバ１３Ｂと通信を行い、各スポットの位置情報を送信するとともに、それらのスポットごとに、スポットの近隣の所定枚数の写真を提供するように要求する。この要求に応じて、サーバ１３Ｂは、写真ＤＢに登録されている写真に付加されている位置情報を参照し、スポットの近隣の位置情報が付加されている写真を検索して、情報提供装置１１に送信する。情報提供装置１１では、通信部２２が、サーバ１３Ｂからの写真を受信して、制御部２７を介して記憶部２５に記憶させる。
【００７８】
ステップＳ１７において、制御部２７は、通信部２２に対し、ステップＳ１５で取得したコース情報に含まれている各スポットの地域に関連した音楽を取得するように制御する。通信部２２は、制御部２７の制御に応じて、ネットワーク１２を介してサーバ１３Ｃと通信を行い、各スポットの地域情報を送信するとともに、それらのスポットの地域に関連した音楽を提供するようにサーバ１３Ｃに要求する。この要求に応じて、サーバ１３Ｃは、音楽ＤＢに登録されている音楽に対応付けられた地域情報を参照し、スポットの地域に関連した複数の音楽を検索して、情報提供装置１１に送信する。情報提供装置１１では、通信部２２が、サーバ１３Ｃからの音楽を受信して、制御部２７を介して記憶部２５に記憶させる。
【００７９】
ステップＳ１８において、制御部２７は、ステップＳ１５で取得したコース情報に基づいて、図３の地図表示部４３に表示する地図を作成する。例えば、制御部２７は、図示しないサーバに管理されている地図データベースから、全てのスポットを範囲内に収めた地図を取得する。そして、制御部２７は、コース情報に含まれている各スポットの位置情報に基づいて、取得した地図上に各スポットを示すマークが表示されるとともに、コース情報に含まれている順番情報に従って、各スポットを結ぶラインが表示される地図を作成する。
【００８０】
ステップＳ１８の処理後、ステップＳ１９に進み、制御部２７は、スライドショーを開始させるスライドショー開始ボタンが表示された開始画面を表示部２８に表示し、処理はステップＳ２０に進む。この開始画面には、例えば、ステップＳ１８で作成した地図（全てのスポットをラインで結んだ地図）の全範囲を表示してもよい。
【００８１】
ステップＳ２０において、制御部２７は、スライドショーを開始するか否かを判定し、スライドショーを開始すると判定されるまで処理を待機する。例えば、制御部２７は、検出部２９により、ステップＳ１９で表示部２８に表示した開始画面のスライドショー開始ボタンをユーザがタッチしたことが検出されると、スライドショーを開始すると判定し、処理はステップＳ２１に進む。
【００８２】
ステップＳ２１において、制御部２７は、図３を参照して説明したようなスライドショー画面４１により写真や地図などを表示し、音楽を再生するスライドショー処理を実行し、スライドショー処理の処理後、処理は終了される。
【００８３】
一方、ステップＳ１２において、制御部２７が、アルバムの選択をユーザが選択したと判定した場合、処理はステップＳ２２に進む。
【００８４】
ステップＳ２２において、制御部２７は、通信部２２に対して、図２のサーバ１３Ｂとの通信を行い写真ＤＢに登録されているアルバムの名称を取得するように制御する。通信部２２は、制御部２７の制御に応じて、ネットワーク１２を介してサーバ１３Ｂと通信を行い、写真ＤＢに登録されているアルバムの名称を取得し、制御部２７に供給する。
【００８５】
ステップＳ２２の処理後、処理はステップＳ２３に進み、制御部２７は、ステップＳ２２で取得したアルバム中からスライドショーを行う旅行コースに使用するアルバムをユーザに選択させる画面６１（図５）をタッチパネル２１の表示部２８に表示させる。そして、ユーザが、画面６１のリスト表示部６３に表示されているアルバムの名称を所定時間より長くタッチすると、そのタッチ位置が検出部２９により検出され、制御部２７は、ユーザにより選択されたアルバムを特定し、処理はステップＳ２４に進む。
【００８６】
ステップＳ２４において、制御部２７は、通信部２２に対して、図２のサーバ１３Ｂとの通信を行い、ステップＳ２３でユーザにより選択されたアルバムに含まれる写真を取得するように制御する。通信部２２は、制御部２７の制御に応じて、ネットワーク１２を介してサーバ１３Ｂと通信を行い、ユーザにより選択されたアルバムに含まれる写真の送信を要求する。この要求に応じて、サーバ１３Ｂから写真が送信されてくると、通信部２２は、写真を受信して、制御部２７を介して記憶部２５に記憶させ、処理はステップＳ２５に進む。
【００８７】
ステップＳ２５において、制御部２７は、ステップＳ２３でユーザにより選択されたアルバムを使用した旅行コースのコース情報を作成する。即ち、制御部２７は、ステップＳ２４で取得した写真に付加されている位置情報に基づいて、例えば、一定の範囲内で撮影された１枚以上の写真が撮影された箇所を１つのスポットとして特定する。そして、制御部２７は、その一定の範囲内の任意の地点をスポットとして設定し、その地点の位置情報をスポットの位置情報として作成する。例えば、制御部２７は、複数枚の写真が撮影された一定の範囲内に観光名所などがある場合、その観光名所をスポットして設定する。
【００８８】
また、制御部２７は、ネットワーク１２を介して、図示しないサーバに管理されている地図データベースを参照して、設定したスポットが属する地域を特定し、スポットごとの地域情報を作成する。また、制御部２７は、設定したスポットの写真に付加されている時刻情報（写真を撮影した時刻を示す情報）に従って、スポットの順番を示す順番情報を作成する。
【００８９】
このように、制御部２７は、位置情報、地域情報、順番情報を含むコース情報を作成する。ステップＳ２５の処理後、処理はステップＳ１７に進み、ステップＳ２５で作成された旅行コースに基づいて、以下、上述した処理が行われる。
【００９０】
一方、ステップＳ１２において、制御部２７が、旅行コースの作成をユーザが選択したと判定した場合、処理はステップＳ２６に進み、旅行コース作成処理が行われる。そして、旅行コース作成処理において旅行コースが作成された後、処理はステップＳ１６に進み、旅行コース作成処理で作成された旅行コースに基づいて、以下、上述した処理が行われる。
【００９１】
次に、図７は、図６のステップＳ２６における旅行コース作成処理を説明するフローチャートである。
【００９２】
ステップＳ３１において、制御部２７は、ネットワーク１２を介して、図示しないサーバに管理されている地図データベースから提供される地図に基づいて、表示部２８に広域の地図を表示し、処理はステップＳ３２に進む。
【００９３】
ステップＳ３２において、制御部２７は、ユーザの操作に応じて、表示部２８に表示される地図の表示を調整し、処理はステップＳ３３に進む。例えば、ユーザが、地名などを入力して検索を指示する操作を行うと、制御部２７は、その検索の結果得られた地点を中心とした詳細な地図を表示部２８に表示する。また、ユーザが、タッチパネル２１の表面をタッチしたまま指を上下または左右に動かす操作を行うと、制御部２７は、その操作に追従するように、表示部２８に表示される地図を上下または左右に動かす。
【００９４】
また、ユーザが、タッチパネル２１の表面を２本の指でタッチしたまま指の間隔を拡大または縮小する操作を行うと、制御部２７は、その操作に追従するように、表示部２８に表示される地図を拡大または縮小する。なお、ユーザが、地図の表示を調整する操作を行わなかったときには、ステップＳ３２をスキップして、処理はステップＳ３３に進む。
【００９５】
ステップＳ３３において、制御部２７は、検出部２９からの出力に基づいて、ユーザにより一定時間より長いタッチが行われたか否かを判定する。例えば、情報提供装置１１には、ユーザが地図上のスポットを指定するための一定時間が予め設定されており、制御部２７は、検出部２９から供給されるタッチ位置を示す座標情報が、その一定時間以上変化しなった（または、所定の変化量以内であった）場合、ユーザにより一定時間より長いタッチが行われたと判定する。
【００９６】
ステップＳ３３において、制御部２７が、ユーザにより一定時間より長いタッチが行われなかったと判定された場合、処理はステップＳ３２に戻り、以下、同様の処理が繰り返される。
【００９７】
一方、ステップＳ３３において、制御部２７が、ユーザにより一定時間より長いタッチが行われたと判定された場合、処理はステップＳ３４に進む。ステップＳ３４において、制御部２７は、ユーザにより一定時間より長くタッチされた地図上の地点をスポットとして設定し、その地点の位置情報をスポットの位置情報として作成する。また、制御部２７は、ユーザがスポットを指定した順番をカウントする。
【００９８】
ステップＳ３４の処理後、処理はステップＳ３５に進み、制御部２７は、コース情報を作成するか否かを判定する。例えば、ユーザにより２つ以上のスポットが作成されると、コース情報の作成を指示するＧＵＩボタンが画面に表示され、ユーザが、そのＧＵＩボタンをタッチすると、制御部２７は、コース情報を作成すると判定する。
【００９９】
ステップＳ３５において、制御部２７が、コース情報を作成しないと判定した場合、処理はステップＳ３２に戻り、以下、同様の処理が繰り返される。
【０１００】
一方、ステップＳ３５において、制御部２７が、コース情報を作成すると判定した場合、処理はステップＳ３６に進む。ステップＳ３６において、制御部２７は、ステップＳ３４で設定した各スポットの位置情報に基づいて、図示しないサーバに管理されている地図データベースを参照して、設定したスポットが属する地域を特定し、スポットごとの地域情報を作成する。そして、制御部２７は、各スポットの位置情報、地域情報、および、それぞれのスポットが指定されるたびにカウントした順番に基づいた順番情報を含むコース情報を作成する。
【０１０１】
ステップＳ３６の処理後、旅行コース作成処理は終了する。
【０１０２】
次に、図８は、図６のステップＳ２１におけるスライドショー処理を説明するフローチャートである。
【０１０３】
ステップＳ４１において、制御部２７は、コース情報に含まれている順番情報に従って、写真を表示する対象である表示対象となったスポットの１枚目の写真を、スライドショー画面４１の写真表示部４２に表示する。また、制御部２７は、写真表示部４２に表示される写真のタイトルや撮影日付を、スライドショー画面４１のタイトル表示部４４に表示させる。例えば、１回目のステップＳ４１では、制御部２７は、順番情報において１番目に設定されているスポットを表示対象とし、そのスポットの近隣の所定枚数の写真の中の、１番目の写真を表示する。
【０１０４】
ステップＳ４１の処理後、処理はステップＳ４２に進み、制御部２７は、図６のステップＳ１８で作成した地図のうちの、表示対象のスポットを含む所定範囲の地図をスライドショー画面４１の地図表示部４３に表示し、処理はステップＳ４３に進む。
【０１０５】
ステップＳ４３において、制御部２７は、出力部２６に対して、図６のステップＳ１７で取得した音楽のうちの、表示対象のスポットに関連する音楽を再生するように制御を行い、その音楽が出力部２６から出力され、処理はステップＳ４４に進む。
【０１０６】
ステップＳ４４において、制御部２７は、旅行コースの名称をスライドショー画面４１のテキスト情報表示部４５に表示する。また、制御部２７は、表示対象のスポットに関連する情報を、適宜、通信部２２を介してインターネット上から取得して、テキスト情報表示部４５に表示する。
【０１０７】
ステップＳ４４の処理後、処理はステップＳ４５に進み、制御部２７は、表示対象となっているスポットの全ての写真が表示されたか否かを判定する。例えば、制御部２７は、表示対象となっているスポットについて、ステップＳ１６で取得された所定枚数の写真の全てが写真表示部４２に表示された場合、スポットの全ての写真が表示されたと判定する。
【０１０８】
ステップＳ４５において、表示対象となっているスポットの全ての写真が表示されていないと判定された場合、処理はステップＳ４６に進み、制御部２７は、写真表示部４２に表示する写真を更新する。つまり、制御部２７は、表示対象となっているスポットについて、ステップＳ１６で取得された所定枚数の写真のうちの、まだ表示されていない写真を写真表示部４２に表示する。ステップＳ４６の処理後、処理はステップＳ４５に戻り、以下、同様の処理が繰り返される。
【０１０９】
一方、ステップＳ４５において、制御部２７が、表示対象となっているスポットの全ての写真が表示されたと判定した場合、処理はステップＳ４７に進み、制御部２７は、旅行コースに設定されている全てのスポットが表示対象となったか否かを判定する。
【０１１０】
ステップＳ４７において、制御部２７が、旅行コースに設定されている全てのスポットが表示対象となっていないと判定した場合、処理はステップＳ４８に進む。
【０１１１】
ステップＳ４８において、制御部２７は、コース情報の順番情報に従って、次に表示する順番となっているスポットを新たな表示対象として、処理はステップＳ４１に戻り、新たに表示対象となったスポットに基づいて、以下、同様の処理が繰り返される。また、制御部２７は、テキスト情報表示部４５におけるスポットの順番を示す情報や、ＧＵＩ表示部４６のプログレスバー４６ａの表示を更新する。
【０１１２】
一方、ステップＳ４７において、制御部２７が、旅行コースに設定されている全てのスポットが表示対象となった判定した場合、スライドショー処理は終了される。
【０１１３】
以上のように、情報提供装置１１では、位置情報が付加された写真を用いて、旅行コースに基づくスライドショーを行い、順次、写真を表示するとともに、地図にスポットの位置情報を表示することができる。これにより、例えば、単に、写真と、その写真が撮影された場所とを表示する場合と比較して、旅行コースに沿って連続的に表示される、より価値の高い情報をユーザに提供することができる。
【０１１４】
例えば、ユーザは、ある旅行ツアーに参加する前に、その旅行ツアーの名称で登録された旅行コースを選択してスライドショーを行うことで、その旅行ツアーの雰囲気を事前に把握することができる。また、ユーザが旅行に行った後に、旅行先で撮影した写真のアルバムをサーバ１３Ｂの写真ＢＤに登録することで、例えば、ユーザの友人が、そのアルバムを選択してスライドショーを行って、ユーザの旅行体験を共有することができる。
【０１１５】
さらに、情報提供装置１１では、表示対象のスポットの写真が表示されているときに、そのスポットの音楽が再生されるので、単に写真が表示される場合よりも、スライドショーを楽しむことができる。さらに、テキスト情報表示部４５に表示されるスポットに関連する情報によって、ユーザは、スポットに関する知識を深めることができる。このように、情報提供装置１１では、写真や、地図、音楽、テキスト情報によって、より複合的かつ多面的に、ユーザに情報を提供することができる。
【０１１６】
また、情報提供装置１１では、ユーザが旅行コースを作成することができるので、ユーザは、既存の旅行コースにはないオリジナルな旅行コースを仮想的に楽しむことができる。ここで、旅行コースの作成は、例えば、複数の観光名所の地名をユーザが情報提供装置１１に入力するだけでもよく、情報提供装置１１は、それらの地名から位置情報、地域情報、順番情報（観光名所を近い順に結んだ順番）を取得することができる。また、旅行情報には、地域情報が含まれていなくてもよく、情報提供装置１１は、位置情報からスポットの地域を判断して、そのスポットに関連する音楽を取得することができる。
【０１１７】
なお、本実施の形態においては、写真のスライドショーについて説明したが、例えば、各スポットの近傍で撮影された動画像を写真表示部４２に表示してもよい。
【０１１８】
また、写真や、地図、音楽などを、ネットワーク１２を介してサーバ１３から取得する他、例えば、スライドショーを行うのに必要な情報が全て記憶部２５に記憶されており、情報提供装置１１単独で処理を行ってもよい。逆に、上述した処理の全て（または、処理の一部）を図示しないサーバで行わせ、その処理の結果を情報提供装置１１が受信して表示部２８に表示したり、出力部２６から出力したりするようにしてもよい。つまり、複数のスポットが設定された旅行コースに従ってスライドショーを行うプログラムの一部または全部が、ネットワーク１２を介して情報提供装置１１に提供されるようにしてもよい。
【０１１９】
さらに、ユーザは、情報提供装置１１の撮影部２４で撮影され、位置情報取得部２３で取得された位置情報が付加された複数枚の写真をアルバムとして、サーバ１３Ｂにアップロードして、写真ＤＢに登録することができる。これにより、そのアルバムの写真を使用した旅行コースを他のユーザと共有することができる。
【０１２０】
また、タッチパネル２１は、ユーザの指が近接（タッチパネル２１の表面に触れない程度に接近）したことを検出することができ、タッチパネル２１に対するタッチの検出には、ユーザの指がタッチパネル２１に近接したことの検出が含まれる。また、タッチパネル２１は、指以外のものによるタッチ、例えば、スタイラスによるタッチ（スタイラス入力）を検出することができる。
【０１２１】
なお、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。また、プログラムは、１のCPUにより処理されるものであっても良いし、複数のCPUによって分散処理されるものであっても良い。
【０１２２】
なお、本技術は以下のような構成も取ることができる。
（１）
所定の複数の地点の位置を示す位置情報、および、それぞれの地点の順番を示す順番情報が設定されたコース情報を取得するコース情報取得部と、
前記地点を含む所定の領域内で撮影された写真を取得する写真取得部と、
前記コース情報に設定された前記位置情報に基づいて、複数の前記地点を示すマークが表示された地図を作成する地図作成部と、
前記コース情報に設定された前記順番情報に従って、複数の前記地点を順次表示対象とし、表示対象とされた前記地点で撮影された前記写真と、その地点を示すマークを含む所定範囲の地図とを表示部に表示させる表示制御部と
を備える情報提供装置。
（２）
前記コース情報取得部は、複数の前記コース情報が登録されたデータベースを管理するサーバと通信を行い、前記データベースに登録されている複数の前記コース情報をユーザに提示して、ユーザにより選択された前記コース情報を前記サーバから取得する
上記（１）に記載の情報提供装置。
（３）
前記写真取得部は、撮影位置の位置情報が付加された複数の前記写真が登録されたデータベースを管理するサーバと通信を行い、前記コース情報取得部が取得した前記コース情報に設定された前記位置情報に基づいて、前記地点を含む所定の領域内で撮影された写真を取得する
上記（１）または（２）に記載の情報提供装置。
（４）
前記表示制御部により表示対象とされた前記地点に関連する音楽を出力する出力部
をさらに備える上記（１）乃至（３）のいずれかに記載の情報提供装置。
（５）
前記コース情報には、前記地点が属する地域を示す地域情報が設定されており、
複数の音楽が登録されたデータベースを管理するサーバと通信を行い、前記コース情報に設定された前記地域情報に対応付けられている複数の音楽を取得する音楽取得部
をさらに備え、
前記出力部は、前記音楽取得部が取得した音楽の中から、前記表示制御部により表示対象とされた前記地点に関連する音楽を出力する
上記（４）に記載の情報提供装置。
（６）
前記コース情報取得部は、撮影位置の位置情報が付加された複数の前記写真が任意の分類ごとに登録されたデータベースを管理するサーバと通信を行い、前記データベースに登録されている前記写真の分類をユーザに提示して、ユーザにより選択された前記分類に含まれる複数の前記写真に付加された前記位置情報と、それぞれの写真が撮影された撮影時刻の順番とに基づいて、前記コース情報を作成する
上記（１）乃至（５）のいずれかに記載の情報提供装置。
（７）
前記コース情報取得部は、前記地点を指定させるための地図を前記表示部に表示させ、ユーザにより指定された複数の前記地点の位置情報と、それぞれの地点がユーザにより指定された順番とに基づいて、前記コース情報を作成する
上記（１）乃至（６）のいずれかに記載の情報提供装置。
（８）
複数の前記地点をユーザに指定させて前記コース情報取得部が作成した前記コース情報を送信する通信部
をさらに備え、
前記通信部が、複数の前記コース情報が登録されるデータベースを管理するサーバに、前記コース情報を送信することで、前記コース情報が他の情報提供装置との間で共有される
上記（７）に記載の情報提供装置。
（８）
前記表示制御部は、表示対象とされた前記地点に関連する情報を、前記写真と共に前記表示部に表示する
上記（１）乃至（８）のいずれかに記載の情報提供装置。
【０１２３】
なお、本開示における実施の形態は、上述した実施の形態に限定されるものではなく、本開示の要旨を逸脱しない範囲において種々の変更が可能である。
【符号の説明】
【０１２４】
１１  情報提供装置，  １２  ネットワーク，  １３  サーバ，  ２１  タッチパネル，  ２２  通信部，  ２３  位置情報取得部，  ２４  撮影部，  ２５  記憶部，  ２６  出力部，  ２７  制御部，  ２８  表示部，  ２９  検出部，  ３１  画面，  ３２  マーク，  ４１  スライドショー画面，  ４２  写真表示部，  ４３  地図表示部，  ４４  タイトル表示部，  ４５  テキスト情報表示部，  ４６  ＧＵＩ表示部，  ５１  画面，  ５２  タイトル表示部，  ５３  リスト表示部，  ５４  キャンセルボタン，  ６１  画面，  ６２  タイトル表示部，  ６３  リスト表示部
【図１】
2012226646.tif 000003
【図２】
2012226646.tif 000004
【図３】
2012226646.tif 000005
【図４】
2012226646.tif 000006
【図５】
2012226646.tif 000007
【図６】
2012226646.tif 000008
【図７】
2012226646.tif 000009
【図８】
2012226646.tif 000010